(57)【要約】【課題】中継端子台と各加熱コイルとの間を接続する接続線の長さを極力短くでき、ノイズを入り難くできると共に、接続線の発熱量も抑える。【解決手段】仕切体１６の上面側に２個の加熱コイル２１，２２を配置し、仕切体１６の下方に、加熱コイル２１，２２に高周波電流を供給する機能を有する電気回路ユニットを配置する。電気回路ユニットと加熱コイル２１，２２との間を電気的に接続するための中継端子台３０を、隣り合った２個の加熱コイル２１，２２間に配置し、加熱コイル２１，２２の接続線２１ａ，２２ａを、仕切体１６の上側で中継端子台３０に接続した。これにより、加熱コイル２１，２２と中継端子台３０との間を接続する接続線２１ａ，２２ａの長さを極力短く設定することができる。【選択図】図２
2010009914.tif 000002
【特許請求の範囲】
【請求項１】
調理容器が載置されるトッププレートと、
このトッププレートの下方に配置され、前記調理容器を誘導加熱する複数個の加熱コイルと、
これら複数個の加熱コイルの下方に配置され、前記加熱コイルに高周波電流を供給する機能を有する電気回路ユニットと、
前記複数個の加熱コイルと前記電気回路ユニットとの間を上下に仕切るように設けられた仕切体と、
前記電気回路ユニットと前記複数個の加熱コイルとの間を電気的に接続するための中継端子台とを備え、
前記中継端子台を隣り合った前記加熱コイル間に配置し、前記複数個の加熱コイルの各接続線を、前記仕切体の上側で前記中継端子台に接続したことを特徴とする加熱調理器。
【請求項２】
前記仕切体は前記中継端子台を通すための端子台用開口部を有し、前記電気回路ユニットの接続線を、前記仕切体の下側で前記中継端子台に接続したことを特徴とする請求項１記載の加熱調理器。
【請求項３】
前記仕切体の下方に設けられた加熱庫と、
前記仕切体の下方において前記加熱庫と前記電気回路ユニットとの間を仕切るように設けられた仕切板とを備え、
前記中継端子台を、前記仕切板に固定したことを特徴とする請求項１または２記載の加熱調理器。
【請求項４】
前記中継端子台は、
端子台ベースと、
この端子台ベース上に配置され、前記電気回路ユニットの接続線が接続されると共に前記加熱コイルの接続線が接続される複数個の端子板と、
これら複数個の端子板と前記電気回路ユニットの接続線との接続部分を上から覆うように設けられた端子台カバーとを備えていることを特徴とする請求項１記載の加熱調理器。
【請求項５】
前記中継端子台に接続された前記複数個の加熱コイルの複数の接続線は、直線的でかつ平行に配置されていることを特徴とする請求項１記載の加熱調理器。
【請求項６】
前記中継端子台において、前記複数個の加熱コイルの複数の接続線が接続された複数のコイル接続部が、前記加熱コイルの接続線の指向方向に対して交差する方向に直線状に並んでいることを特徴とする請求項５記載の加熱調理器。
【発明の詳細な説明】
【技術分野】
【０００１】
本発明は、誘導加熱用の複数の加熱コイルとこれら加熱コイルに高周波電流を供給する機能を有する電気回路ユニットとの間を電気的に接続するための中継端子台を備えた加熱調理器に関する。
【背景技術】
【０００２】
例えば特許文献１には次のような加熱調理器が示されている。調理容器が載置されるトッププレートの下方に、調理容器を誘導加熱する加熱コイルを例えば２個配設している。これら加熱コイルの下方の一方側に基板ケースを配設し、基板ケース内に、三段に配置された回路基板を有する電気回路ユニットを配設している。電気回路ユニットは、加熱コイルに高周波電流を供給する機能を有している。電気回路ユニットの後方には、電気回路ユニット及び加熱コイルなどを冷却するファン装置を配設している。そして、基板ケースの上部に中継端子台（中継コネクタ部）を設け、この中継端子台と電気回路ユニットの回路基板との間を接続線で電気的に接続すると共に、中継端子台と加熱コイルとの間を接続線で電気的に接続している。
【特許文献１】特開２００６−３１９４６号公報（図１）
【発明の開示】
【発明が解決しようとする課題】
【０００３】
上記した特許文献１の構成のものでは、中継端子台が加熱コイルの後方に配置されているため、中継端子台と各加熱コイルとの間を接続する接続線の長さが長くなる。このため、その接続線にノイズが入り易くなる。また、前記接続線には大電流を流す必要があり、その接続線が長いと、その分電気抵抗も大きくなり、発熱量も大きくなるという問題がある。
【０００４】
本発明は上記した事情に鑑みてなされたものであり、その目的は、中継端子台と各加熱コイルとの間を接続する接続線の長さを極力短くでき、ノイズを入り難くできると共に、接続線の発熱量も抑えることが可能な加熱調理器を提供するにある。
【課題を解決するための手段】
【０００５】
上記した目的を達成するために、本発明の加熱調理器は、調理容器が載置されるトッププレートと、このトッププレートの下方に配置され、前記調理容器を誘導加熱する複数個の加熱コイルと、これら複数個の加熱コイルの下方に配置され、前記加熱コイルに高周波電流を供給する機能を有する電気回路ユニットと、前記複数個の加熱コイルと前記電気回路ユニットとの間を上下に仕切るように設けられた仕切体と、前記電気回路ユニットと前記複数個の加熱コイルとの間を電気的に接続するための中継端子台とを備え、前記中継端子台を隣り合った前記加熱コイル間に配置し、前記複数個の加熱コイルの各接続線を、前記仕切体の上側で前記中継端子台に接続したことを特徴とする。
【発明の効果】
【０００６】
本発明によれば、中継端子台を隣り合った加熱コイル間に配置し、複数個の加熱コイルの各接続線を、仕切体の上側で前記中継端子台に接続した構成としているので、各加熱コイルと中継端子台との間を接続する接続線の長さを極力短く設定することができる。このため、それら接続線にノイズを入り難くできると共に、接続線の発熱量も抑えることが可能となる。
【発明を実施するための最良の形態】
【０００７】
（第１の実施形態）
以下、本発明を据え置きタイプの加熱調理器（ＩＨクッキングヒータ）に適用した第１の実施形態について、図１〜図５を参照して説明する。
【０００８】
まず、図１において、加熱調理器の本体１は、上面が開口した矩形箱状をなす本体ケース２と、この本体ケース２の上面に装着されるトッププレート組立３とを備えている。トッププレート組立３は、例えばガラス製のトッププレート４と、このトッププレート４を支持したトッププレート枠５とを備えている。トッププレート４の上面には、図示しない調理容器が載置される。
【０００９】
本体ケース２内の一方側である、前方から見て右側には、後述するファン装置６及び電気回路ユニット７（図３、図４参照）が配設され、他方側となる左側にはロースタユニット８（本発明の加熱庫に相当）が配設されている。本体ケース２内において、右側のファン装置６及び電気回路ユニット７と左側のロースタユニット８との間には前後方向に延びる仕切板１０が設けられていて、この仕切板１０により本体ケース２内を左右に仕切っている。
【００１０】
ロースタユニット８は、前面が開口したロースタ用ケーシング１１内にロースタ用ヒータ１２（図３参照）が配設されているとともに、扉１３を有した引き出しユニット１４が出し入れ可能に設けられ、その引き出しユニット１４に、受け皿１４ａ（図３参照）及び図示しない焼き網が取り付けられるようになっている。ロースタ用ケーシング１１の後部には、ロースタ用排気口部１５が上向きに設けられている。前記トッププレート枠５の後部には、ロースタ用排気口部１５に連通するロースタ用排気口５ａ（図１に点線で示す）が設けられていて、ロースタ用ケーシング１１内の空気が、ロースタ用排気口部１５及びロースタ用排気口５ａを通して排出されるようになっている。なお、トッププレート枠５の後部には、ロースタ用排気口５ａの左側に位置させて本体排気口５ｂ（これも図１に点線で示す）が形成されている。ロースタ用排気口５ａ及び本体排気口５ｂは、多数の通気孔を有する排気口カバー９により覆われている。
【００１１】
本体ケース２内の上部には、トッププレート４の下方に位置させて仕切体１６が配設されている。この仕切体１６は、前記右側のファン装置６及び電気回路ユニット７と左側のロースタユニット８に跨った状態で配置されている（図３参照）。仕切体１６は、非磁性の導電材料、例えばアルミニウムにより形成されたもので、外周部に立ち上がった側壁１６ａを枠状に有した浅底の矩形の容器状をなしていて、側壁１６ａの上端部に全周わたって設けたパッキン１７（図３及び図４参照）を介してトッププレート４の下面に密着させている。ここで、仕切体１６は、トッププレート４の下方の空間を上空間１８と下空間１９とに仕切るように設けられている。また、トッププレート４と仕切体１６との間に形成された上空間１８は、トッププレート４と仕切体１６との間がパッキン１７を介して密閉されるような空間とされている。
【００１２】
仕切体１６内の上空間１８内には、複数、この場合２個の誘導加熱用の加熱コイル２１，２２が配設されている。これら加熱コイル２１，２２は、トッププレート４上に載置される調理容器を加熱する加熱手段を構成する。これら加熱コイル２１，２２は、それぞれコイルベース２３に支持された状態で、ばね２４（図３及び図４参照）により上方のトッププレート４側に付勢されていて、加熱コイル２１，２２と仕切体１６の内面との間に風が通るように隙間が形成されている。各加熱コイル２１，２２のコイルベース２３の中央部には、温度センサ２５が設けられている。温度センサ２５は、トッププレート４上に載置される調理容器の温度を検出するためのものである。
【００１３】
図１及び図２において、仕切体１６の右前部には、右側の加熱コイル２１の前方に位置させて、開口部からなる連通部２６が２個形成されている。また、仕切体１６の左後部には、左側の加熱コイル２１の後方に位置させて、開口部からなる排気口２７が形成され、仕切体１６の左右の中央部の後部に、右側の加熱コイル２２の左後方に位置させて排気口２８が形成されている。
【００１４】
仕切体１６の中央部には、左右の加熱コイル２１，２２間に位置させて、端子台用開口部２９が形成されている。この端子台用開口部２９には、中継端子台３０の一部が挿入されるようになっていて、その端子台用開口部２９は、中継端子台３０によって閉鎖される。中継端子台３０は、前記仕切板１０の上端部にあって、前後方向の中央部に固定されている。中継端子台３０は、電気回路ユニット７と、加熱コイル２１，２２との間を電気的に接続するためのものである。この中継端子台３０部分の詳細については後述する。
【００１５】
仕切体１６の内部である上面には、左右に隣り合った２個の加熱コイル２１，２２間で、且つ前部の連通部２６と後部の排気口２７，２８との間に位置させて、左右方向に延びる第１仕切部３６が設けられているとともに、この第１仕切部３６の後部側において、左右の隣り合った排気口２７，２８間を仕切る第２仕切部３７が設けられている。さらに、仕切体１６の上面には、左側の加熱コイル２１のコイルベース２３の外周部と左側の側壁１６ａとの間、及び右側の加熱コイル２２のコイルベース２３の外周部と右側の側壁１６ａとの間を接続する第３仕切部３８がそれぞれ設けられている。
【００１６】
仕切体１６の前方には、スイッチからなる操作部４０や表示部４１などを備えた操作パネルユニット４２が設けられている。操作パネルユニット４２は、トッププレート枠５の前部に設けられたカバー部４２ａにてカバーされている。
【００１７】
次に、電気回路ユニット７及びファン装置６側の構成について、図３、図４も参照して説明する。電気回路ユニット７とファン装置６は、基板ケース４５に設けられている。基板ケース４５は、本体ケース２の下空間１９における仕切板１０の右側に配置されている。この基板ケース４５内の底部には、一枚のプリント基板からなる回路基板４６が収容配置されている。この回路基板４６に、電気部品１００を実装することにより、電気回路ユニット７が構成されている。電気回路ユニット７は、前記加熱コイル２１，２２に高周波電流を供給するインバータを備えている。回路基板４６には、図示はしないが、マイクロコンピュータを含む制御装置（制御手段）も設けられている。
【００１８】
本体ケース２内における基板ケース４５の後側には、第１の吸気ダクト４７が設けられている。この第１の吸気ダクト４７の上部は吸気口４８とされ、この吸気口４８は、前記トッププレート枠５の後部の右部に設けられた第１の吸気口４９（図１には点線で示す）に連通している。第１の吸気口４９は、本体吸気口にも相当している。第１の吸気口４９は、多数の通気孔を有する吸気口カバー４９aにより覆われている。第１の吸気ダクト４７には、前部に通気口５０が形成されていると共に、内部の上部に立下がり壁５１が設けられていて、第１の吸気口４９及び吸気口４８から吸気された機外の空気（外気）が立下がり壁５１の下を通って通気口５０側へ流れるように、Ｕ字状に迂回する構成となっている。立下がり壁５１は、第１の吸気口４９及び吸気口４８から水等が第１の吸気ダクト４７内に入った際に、その水が通気口５０側へ浸入することを防止する作用がある。
【００１９】
基板ケース４５の後部の上部に、前記回路基板４６の上方に位置させてファン装置６が取り付けられている。このファン装置６は、縦軸型の遠心ファンからなる冷却ファン５３と、この冷却ファン５３を回転駆動するモータ５４と、冷却ファン５３を囲繞するファンケーシング５５とを備えている。モータ５４は、ファンケーシング５５の上部にねじ５５ａにより取り付けられていて、回転軸５４ａを下に向けている。ファンケーシング５５の上面と前記仕切体１６の下面との間は離間している。ファンケーシング５５の吐出口５６は前方に向けられていて、その吐出口５６の上部の先端部５６ａは、上に向けられて、仕切体１６の下面に当接している。冷却ファン５３は、これの回転軸となるモータ５４の回転軸５４ａが前記第１の吸気口４９よりも前方に位置していて、右側の加熱コイル２２の下方にまで臨む大きさに構成されている。
【００２０】
ファンケーシング５５の上部には、モータ５４よりも大きな形状の上部吸込口５７が形成されている。この上部吸込口５７は、冷却ファン５３と、仕切体１６ひいては右側の加熱コイル２２との間に位置していて、前記第１の吸気ダクト４７の通気口５０と連通している。ここで、冷却ファン５３がモータ５４により回転駆動された際に、第１の吸気口４９から第１の吸気ダクト４７を通して上部吸込口５７へ吸い込まれる外気（冷却風）が通る経路を第１の吸気経路５８（図４の矢印Ａ１参照）としている。
【００２１】
前記ファンケーシング５５の下部には、前記上部吸込口５７の下方に対応する部位に位置させて下部吸込口５９が形成されている。この場合、ファン装置６は、下端部６ａが基板ケース４５の底部４５ａに対して上方に離間した状態で基板ケース４５に取り付けられていて、ファン装置６の下端部６ａと基板ケース４５の底部４５ａとの間に回路基板４６が配置された形態となっている。
【００２２】
基板ケース４５の前下部の左右方向の中央部には、前後方向に延びる第１の送風ダクト６０（図４参照）が設けられ、基板ケース４５の前部の上部には、第１の送風ダクト６０の上方に位置させて第２の送風ダクト６１（図１及び図４参照）が設けられている。このうち、第１の送風ダクト６０の後部は前記ファンケーシング５５の吐出口５６の下部に連通し、前部は開口している。第１の送風ダクト６０の後部の下部には、案内板６２が設けられている。この案内板６２の上部の後端部は、ファンケーシング５５の吐出口５６の先端部下部に連なり、案内板６２の前部の下端部は、回路基板４６の上面に当接している。この場合、ファンケーシング５５の吐出口５６から吐出された冷却風の一部は、第１の送風ダクト６０を通って前方へ流れる（図４の矢印Ｂ１参照）。
【００２３】
図４に示すように、回路基板４６において第１の送風ダクト６０内に位置する部分には、電気部品１００の中でも特に発熱量が多いインバータのスイッチング素子（例えばＩＧＢＴ）１００ａ及び放熱部材１００ｂが配置されている。したがって、第１の送風ダクト６０内を通る冷却風によって、これらスイッチング素子（例えばＩＧＢＴ）１００ａ及び放熱部材１００ｂが冷却されるようになっている。
【００２４】
前記第２の送風ダクト６１の後部はファンケーシング５５の吐出口５６の上部に連通し、前部は前記仕切体１６の連通部２６に連通している。第２の送風ダクト６１の底面６１ａは、後部から連通部２６に向けて高くなるような傾斜面とされている。この場合、ファンケーシング５５の吐出口５６から吐出された冷却風の一部は、第２の送風ダクト６１を通って連通部２６へ案内される（図４の矢印Ｂ２参照）。第１の送風ダクト６０と第２の送風ダクト６１との間の後部の仕切部分を分流板部６３としていて、この分流板部６３により、ファンケーシング５５の吐出口５６から吐出された冷却風を、第１の送風ダクト６０側と第２の送風ダクト６１側とに分けられるようになっている。
【００２５】
なお、基板ケース４５の下部には、詳細には示されていないが、第１の送風ダクト６０及び案内板６２とは区切られた状態で第２の吸気経路６５（図３及び図４参照）が形成されている。この第２に吸気経路６５は、後部がファンケーシング５５の下部吸込口５９に連通し、前部は、図２に示すように、本体ケース２の底部に形成された第２の吸気口６８を介して機外と連通している。回路基板４６において、前記第１の送風ダクト６０の外側及びファンケーシング５５の下方に対応する部分には、電気部品１００のうち、発熱量が比較的少ない電気部品１００が配置されている。これらの電気部品１００は、ファン装置６の駆動時に、外気が第２の吸気口６８から第２の吸気経路６５を通り、下部吸込口５９からファンケーシング５５内へ吸い込まれる冷却風（図４の矢印Ａ２参照）によって冷却されるようになっている。
【００２６】
基板ケース４５の前部と本体ケース２の前部の背面との間には、図１に示すように、上から見てＬ字形をなす補助板７０が設けられていて、この補助板７０と、基板ケース４５の前部と、本体ケース２の前壁と、前記仕切板１０の前部とにより補助ダクト７１を形成している。補助ダクト７１の下部は、前記第１の送風ダクト６０の前面開口部と連通していて、第１の送風ダクト６０を通った冷却風がこの補助ダクト７１に排出される。仕切板１０の前部には、図４に示すように矩形状の孔からなる通気口７２が２個形成されていて、補助ダクト７１内を通った冷却風が左側のロースタユニット８側へ案内されるようになっている（図２及び図４の矢印Ｂ３参照）。
【００２７】
なお、本体ケース２の前面の右部には、化粧カバー７７が装着されている。
次に、前記中継端子台３０部分の構成について、図５も参照して説明する。図５に示すように、中継端子台３０は、端子台ベース８０と、４枚の端子板８１と、端子台カバー８２とから構成されている。このうち、端子台ベース８０と端子台カバー８２は、電気絶縁材にて形成されている。端子板８１は、導電性を有する非磁性材料、この場合銅板にて形成されている。
【００２８】
端子台ベース８０には、端子板８１を配置するための端子板配置部８３が４箇所形成されている。４箇所の端子板配置部８３はそれぞれ左右方向に平行に延びていて、各端子板配置部８３の周囲には、端子板８１の厚さより突出寸法が大きな突条部８４が形成されている。各端子板配置部８３において、左右方向の中央部よりやや右寄りの部位に段部８３ａが形成されていて、この段部８３ａの右側が左側より低くなるように形成されている。各端子板配置部８３において、右端部８３ｂ及左端部８３ｃの周りの突条部８４は、他の部分よりも高く形成されている。４箇所の端子板配置部８３のうち後側の２箇所の端子板配置部８３の左端部８３ｃの左端部は、突条部８４と同じ高さの閉鎖部８４ａにて閉鎖されている。突条部８４には、各端子板配置部８３の長手方向の中間部に位置させて、凸状の係合部８４ｂが形成されている。端子台ベース８０の前後両側部において、前記段部８３ａの近傍に位置させて取付部８５が設けられている。各取付部８５には、取付穴８５ａが形成されている。
【００２９】
前記４枚の各端子板８１は、それぞれ端子板配置部８３に対応した形状に形成されていて、右端部に、取付孔８６ａが形成された第１の接続部８６を有し、左端部にも、取付孔８７ａが形成された第２の接続部８７を有している。各端子板８１は、第１の接続部８６を端子板配置部８３の右端部８３ｂに配置するとともに、第２の接続部８７を端子板配置部８３の左端部８３ｃに配置する状態で、端子板配置部８３に収容配置されている。このとき、各端子板８１の両側部には凹状の被係合部８１ａが形成されていて、これら被係合部８１ａが、前記端子板配置部８３の係合部８４ｂに係合する。第１の接続部８６の先端部８６ｂは、下向きに折り曲げられていて、その先端部８６ｂが、端子配置部８３の上面に当接している。また、第２の接続部８７は、下側が開口したほぼコ字形に折り曲げられていて、その下向きの先端部８７ｂも、端子配置部８３の上面に当接している。
【００３０】
図３に示すように、各端子板８１の第１の接続部８６には、電気回路ユニット７における回路基板４６に一端部が接続された電気回路ユニット７側の接続線９０（図３には１本のみ示す）の他端部９０ａをねじ９１によりそれぞれ接続している。各ねじ９１は、第１の接続部８６の取付孔８６ａに螺合させている。
【００３１】
前記端子台カバー８２は、右部に平板状の第１のカバー部９２を有し、左部に第２のカバー部９３を有するとともに、当該第２のカバー部９３の上面に左右方向に延びる５本のリブ９４を有している。端子台カバー８２の前後両側部において、第１のカバー部９２と第２のカバー部９３の境界部の近傍に位置させて、ねじ挿通孔９５ａを有する取付部９５が設けられている。
【００３２】
この場合、端子台ベース８０の各端子板配置部８３に、位置決め手段としての係合部８４ｂ、被係合部８１ａの凸凹を嵌め合わせて、端子板８１を位置決めして配置する。そして、各端子板８１の第１の接続部８６に電気回路ユニット７側の接続線９０をそれぞれ接続した状態で、端子板８１の上から端子台カバー８２を被せ、第１のカバー部９２にて各端子板８１の第１の接続部８６と電気回路ユニット７側の接続線９０との接続部分を上方から覆うとともに、第２のカバー部９３にて各端子板８１の中央部分を上方から覆う状態とする。そして、端子台カバー８２における各取付部９５のねじ挿通孔９５ａに挿通したねじ（図示せず）を、端子台ベース８０における各取付部８５の取付穴８５ａにねじ込むことにより、端子台カバー８２を端子台ベース８０に取付固定する。このとき、各端子板８１における左側の第２の接続部８７部分は、端子台カバー８２から外れていて、露出することになる（図２及び図３参照）。
【００３３】
そして、本体ケース２の上面に前記仕切体１６を配置する際に、図２及び図３に示すように、端子台用開口部２９に、中継端子台３０における端子台カバー８２の第２のカバー部９３及びリブ９４、並びに端子台ベース８０の左端部が挿入されるように、仕切体１６を配置する。これにより、本体ケース２の上面に仕切体１６を配置した状態で、中継端子台３０における端子台カバー８２の第２のカバー部９３及びリブ９４、並びに４枚の端子板８１における左側の第２の接続部８７が、端子台用開口部２９から仕切体１６の上面側に露出するようになる。
【００３４】
このとき、中継端子台３０の右側となる、端子台カバー８２の右側の第１のカバー部９２、端子板８１の右側の第１の接続部８６、端子台ベース８０の右端部は、仕切体１６の下側に位置され、第１の接続部８６と前記電気回路ユニット７側の接続線９０との接続部分は仕切体１６の下側に配置されることになる。ここで、中継端子台３０は、隣り合った２個の加熱コイル２１，２２の間に配置されている。
【００３５】
そして、図２に示すように、左右２個の加熱コイル２１，２２のうち、左側の加熱コイル２１の２本の接続線２１ａはそれぞれ右向きに引き出され、各接続線２１ａの先端部を、仕切体１６の上面側において前側の２個の端子板８１の第２の接続部８７にそれぞれねじ９７により接続している。また、右側の加熱コイル２２の２本の接続線２２ａはそれぞれ左向きに引き出され、各接続線２２ａの先端部を、仕切体１６の上面側において後側の２個の端子板８１の第２の接続部８７にそれぞれねじ９７により接続している。これにより、仕切体１６の下面側に位置する電気回路ユニット７側の接続線９０と、仕切体１６の上面側に位置する２個の加熱コイル２１，２２の各接続線２１ａ，２２ａとが、中継端子台３０の端子板８１を介して電気的に接続されている。
【００３６】
この場合、中継端子台３０の端子板８１に接続された２個の加熱コイル２１，２２の４本の接続線２１ａ，２２ａは、直線的でかつ平行に配置されている。また、中継端子台３０において、加熱コイル２１，２２の４本の接続線２１ａ，２２ａを接続した４個のねじ９７は、加熱コイル２１，２２の接続線２１ａ，２２ａの指向方向である左右方向に対して交差、この場合直交する方向である前後方向に直線的に並んでいる。これら４個のねじ９７は、本発明において、加熱コイル２１，２２の接続線２１ａ，２２ａが中継端子台３０の端子板８１に接続されたコイル接続部に相当する。
【００３７】
次に上記構成の作用を説明する。ここでは、特にファン装置６による冷却風の流れを中心に説明する。加熱コイル２１，２２の一方、または両方を用いて加熱調理を行う場合、トッププレート４上の所定の位置に調理容器を載置した状態で、使用者が操作パネルユニット４２の操作部４０を操作する。すると、制御装置は、その操作及び予め備えた制御プログラムに基づき、インバータ回路のスイッチング素子１００ａを制御して加熱コイル２１，２２を制御すると共に、ファン装置６のモータ５４を制御する。このうち、スイッチング素子１００aを制御することに基づき加熱コイル２１，２２に高周波電流が供給されて高周波磁界が発生し、調理容器に電流が誘導されてジュール熱による加熱調理が行なわれる。このとき、使用される加熱コイル２１，２２が発熱すると共に、電気回路ユニット７における回路基板４６の電気部品１００も発熱するので、これらを冷却する必要がある。
【００３８】
ファン装置６のモータ５４により冷却ファン５３が回転駆動されると、その冷却ファン５３の送風作用により、本体１外の空気（外気）が、本体１の後上部の第１の吸気口４９から第１の吸気ダクト４７内へ吸い込まれると共に、本体ケース２の前部の底壁部の第２の吸気口６８から本体ケース２内へ吸い込まれる。
【００３９】
このうち、第１の吸気口４９から第１の吸気ダクト４７内へ吸い込まれた外気（冷却風）は、主に図４の矢印Ａ１で示すように第１の吸気経路５８を通り、ファンケーシング５５の上部吸込口５７からファンケーシング５５内に吸い込まれる。
【００４０】
一方、第２の吸気口６８から本体ケース２内へ吸い込まれた外気（冷却風）は、図４に矢印Ａ２で示すように、第２の吸気経路６５を通って、ファンケーシング５５の下部吸込口５９からファンケーシング５５内へ吸い込まれる。この第２の吸気経路６５内を通る冷却風により、回路基板４６上の電気部品１００が冷却される。
【００４１】
そして、ファンケーシング５５内に吸い込まれた空気は、吐出口５６から前方に向けて吐出される。吐出口５６から吐出された冷却風は、分流板部６３により下部側の第１の送風ダクト６０側と上部側の第２の送風ダクト６１側とに分けられる。このうち、第１の送風ダクト６０側に送られた冷却風は、図４に矢印Ｂ１で示すように、第１の送風ダクト６０内を前方に向けて流れる。この第１の送風ダクト６０内を流れる冷却風により、左右両側に配置されたスイッチング素子１００a及びこれの放熱部材１００ｂが冷却される。
【００４２】
第１の送風ダクト６１を通った冷却風は、補助ダクト７１側へ出る。補助ダクト７１へ出た冷却風は、仕切板１０の前部の通気口７２から左側のロースタユニット８側へ流れる（図２及び図４の矢印Ｂ３参照）。ロースタ用ケーシング１１の上面前部は他の部分よりやや低くなっており、ロースタユニット８側へ流れた冷却風は、図２に矢印Ｂ４で示すように、ロースタ用ケーシング１１の上面前部と操作パネルユニット４２との間を右から左へ向けて流れた後、ロースタ用ケーシング１１左側面と本体ケース２の左側壁の内面との間を後方へ向けて流れ、最終的に、トッププレート枠５の後部の本体排気口５ｂから機外へ排出される（図２の矢印Ｂ５参照）。このとき、ロースタ用ケーシング１１の周りを冷却風が流れることにより、当該ロースタ用ケーシング１１を冷却することができる。また、操作パネルユニット４２とロースタ用ケーシング１１との間を冷却風が通過することにより、ロースタ用ケーシング１１の熱が操作パネルユニット４２に悪影響を及ぼすことを極力防止することができる。
【００４３】
また、前記ファンケーシング５５の吐出口５６から第２の送風ダクト６１側へ吐出された冷却風は、図４の矢印Ｂ２で示すように上方の連通部２６へ向けて流れ、この連通部２６から、仕切体１６とトッププレート４との間の上空間１８内に入る。上空間１８内に入った冷却風は、トッププレート４の下面に当たって上空間１８内に広がる。
【００４４】
このとき、仕切体１６の上面において、左右に隣り合った２個の加熱コイル２１，２２間で、且つ前部の連通部２６と後部の排気口２７，２８との間に位置させて、左右方向に延びる第１仕切部３６が設けられているとともに、この第１仕切部３６の後部側において、左右の隣り合った排気口２７，２８間を仕切る第２仕切部３７が設けられ、さらに、左側の加熱コイル２１のコイルベース２３の外周部と左側の側壁１６ａとの間、及び右側の加熱コイル２２のコイルベース２３の外周部と右側の側壁１６ａとの間を接続する第３仕切部３８がそれぞれ設けられている。
【００４５】
これら第１仕切部３６、第２仕切部３７、及び第３仕切部３８はそれぞれトッププレート４と仕切体１６に当接しているため、風はこれら第１、第２、第３の仕切部３６，３７，３８により阻まれ、トッププレート４の下面に当たって上空間１８内に広がった冷却風のうち、左側に流れた冷却風は、図２に矢印Ｂ６で示すように、左側の加熱コイル２１部分（特にばね２４より離間したコイルベース２３と仕切体１６の間の空間）を集中的に流れた後、左後部の排気口２７から仕切体１６の下側へ排出される。また、トッププレート４の下面に当たって上空間１８内に広がった冷却風のうち、右側に流れた冷却風は、図２に矢印Ｂ７で示すように、右側の加熱コイル２２部分（この場合も、特にばね２４より離間したコイルベース２３と仕切体１６の間の空間）を集中的に流れた後、中央部の後部の排気口２８から仕切体１６の下側へ排出される。これにより、左側の加熱コイル２１も右側の加熱コイル２２も効率よく冷却される。さらに、左右の加熱コイル２１，２２にあって中継端子台３０に接続された各接続線２１ａ，２２ａも、その冷却風によって冷却される。
【００４６】
このとき、加熱コイル２１，２２が収容された上空間１８は、トッププレート４と仕切体１６との間が密閉されるような空間に構成されているから、加熱コイル２１，２２を冷却すべく上空間１８内に入り込んだ冷却風の漏れを極力防止でき、その冷却風を加熱コイル２１，２２の冷却に有効に作用させることができる。また、下方の電気回路ユニット７の電気部品１００の特にスイッチング素子１００ａ及び放熱部材１００ｂを冷却して熱くなった風が上空間１８内に入り込むことも極力防止できる。
【００４７】
仕切体１６後部の排気口２７，２８から仕切体１６の下側へ排出された冷却風は、電気回路ユニット７の電気部品１００を冷却した冷却風と共に、本体１後部の本体排気口５ｂから機外へ排出される（矢印Ｂ５参照）。
【００４８】
上記した実施形態によれば、次のような作用効果を得ることができる。
電気回路ユニット７と２個の加熱コイル２１，２２との間を電気的に接続するための中継端子台３０を隣り合った加熱コイル２１，２２間に配置し、２個の加熱コイル２１，２２の各接続線２１ａ，２２ａを、仕切体１６の上側で中継端子台３０の端子板８１に接続した構成としているので、各加熱コイル２１，２２と中継端子台３０との間を接続する接続線２１ａ，２２ａの長さを極力短く設定することができる。このため、それら接続線２１ａ，２２ａにノイズを入り難くできると共に、接続線２１ａ，２２ａの発熱量も抑えることが可能となる。
【００４９】
２個の加熱コイル２１，２２と下方の電気回路ユニット７との間を上下に仕切るように設けられた仕切体１６は前記中継端子台３０を通すための端子台用開口部２９を有し、電気回路ユニット７の接続線９０を、仕切体１６の下側で中継端子台３０の端子板８１に接続する構成とした。これにより、電気回路ユニット７と中継端子台３０との間を接続する接続線９０の長さも極力短く設定することができる。このため、それら接続線９０にノイズを入り難くできると共に、接続線９０の発熱量も抑えることが可能となる。
【００５０】
また、この場合、電気回路ユニット７の接続線９０を中継端子台３０の端子板８１に接続した後、端子台カバー８２を被せて固定し、この後、本体ケース２の上面に仕切体１６を配置して固定し、この後、加熱コイル２１，２２の接続線２１ａ，２２ａを端子板８１に接続することで、電気回路ユニット７と加熱コイル２１，２２との間を電気的に接続することができる。したがって、電気回路ユニット７と加熱コイル２１，２２との間を電気的に接続するのに、下から順に組み立てることが可能で、組み立て易く、しかも、仕切体１６に接続線を貫通させる必要がない利点がある。
【００５１】
前記仕切体１６の下方において左側のロースタユニット８と右側の電気回路ユニット７との間を左右に仕切るように設けられた仕切板１０を備え、前記中継端子台３０をその仕切板１０の上端部に固定した。この構成によれば、仕切板１０の上端部が上方の仕切体１６に接する構成となり、仕切板１０を、中継端子台３０の固定に有効に利用することができる。
【００５２】
中継端子台３０は、端子台ベース８０と、この端子台ベース８０上に配置され、電気回路ユニット７の接続線９０が接続されると共に加熱コイル２１，２２の接続線２１ａ，２２ａが接続される４個の端子板８１と、これら４個の端子板８１と電気回路ユニット７の接続線９０との接続部分を上から覆うように設けられた端子台カバー８２とを備えた構成とした。この構成によれば、４個の端子板８１と電気回路ユニット７の接続線９０との接続部分を端子台カバー８２で覆うことで、電気的絶縁効果を確保することができる。
【００５３】
中継端子台３０に接続された２個の加熱コイル２１，２２の４本の接続線２１ａ，２２ａは、直線的でかつ平行に配置されている。この構成によれば、中継端子台３０に接続する４本の接続線２１ａ，２２ａを最短距離で配線でき、それら接続線２１ａ，２２ａにノイズが一層入り難くできると共に、接続線２１ａ，２２ａの発熱量も一層抑えることが可能となる。
【００５４】
中継端子台３０において、２個の加熱コイル２１，２２の４本の接続線２１ａ，２２ａが接続された４個のコイル接続部（ねじ９７）が、加熱コイル２１，２２の接続線２１ａ，２２ａの指向方向に対して直交する方向に直線状に並んでいる。このような構成によれば、中継端子台３０を簡単な構成にできるとともに、加熱コイル２１，２２の４本の接続線２１ａ，２２ａの接続作業を容易に行うことができる利点がある。
【００５５】
中継端子台３０の端子板８１は、導電性を有する非磁性材料、この場合銅板にて形成されているので、加熱コイル２１，２２の近くに配置されていても、加熱コイル２１，２２による誘導加熱で発熱することがない。
【００５６】
（第２の実施形態）
図６は本発明の第２の実施形態を示したものであり、この第２の実施形態は、上記した第１の実施形態とは次の点が異なっている。
すなわち、中継端子台３０における端子台カバー８２において、第２のカバー部９３における第１のカバー部９２寄りの挟持部９３ａでは、端子板８１を上から押さえ付けていて、この挟持部９３ａと端子台ベース８０の端子配置部８３の上面との間で端子板８１の中央部を挟持している。そして、第２のカバー部９３の先端部側の離間部９３ｂは、端子板８１から上方へ離間していて、この離間部９３ｂと端子板８１との間に隙間１０５が形成されている。
【００５７】
また、端子板８１の左側の第２の接続部８７の先端部８７ｂは、下向きに折り曲げられているが、端子配置部８３の上面から上方へ離間していて、この先端部８７ｂと端子配置部８３との間にも隙間１０６が形成されている。したがって、端子板８１の第２の接続部８７側は、挟持部９３ａを支点にして上下方向への弾性変形が可能となっている。
【００５８】
上記した構成において、加熱コイル２１，２２は、ばね２４（図３、図４参照）により上方へ付勢されていて、若干ではあるが上下方向への移動が可能である。このため、組み立ての際等に、加熱コイル２１，２２の接続線２１ａ，２２ａも上下方向へ動くことがある。上記した構成においては、加熱コイル２１，２２の接続線２１ａ，２２ａが上下方向へ動いたとしても、端子板８１の第２の接続部８７側が、前記弾性変形によりその動きに追従できるので、接続線２１ａ，２２ａの上下方向の動きが、電気回路ユニット７の接続線９０、ひいては回路基板４６側に悪影響を及ぼすことを防止することができる。
【００５９】
（その他の実施形態）
本発明は、上記した実施形態にのみ限定されるものではなく、次のように変形または拡張できる。
加熱コイル２１，２２は、２個に限られず、３個以上の場合にも適用できる。また、加熱手段として、加熱コイル２１，２２の他に電気ヒータ（例えば、ラジエントヒータ）を設けたものにも適用できる。
【図面の簡単な説明】
【００６０】
【図１】本発明の第１の実施形態を示した加熱調理器の分解斜視図
【図２】トッププレート組立及び操作パネルユニットを取り外した状態で示す平面図
【図３】図１におけるX１−X１線に沿う縦断正面図
【図４】図１におけるX２−X２線に沿う縦断側面図
【図５】中継端子台の分解斜視図
【図６】本発明の第２の実施形態を示す要部の縦断正面図
【符号の説明】
【００６１】
図面中、１は本体、２は本体ケース、３はトッププレート組立、４はトッププレート、６はファン装置、７は電気回路ユニット、８はロースタユニット（加熱庫）、１０は仕切板、１６は仕切体、２１，２２は加熱コイル、２１ａ，２２ａは接続線、２９は端子台用開口部、３０は中継端子台、４５は基板ケース、４６は回路基板、８０は端子台ベース、８１は端子板、８２は端子台カバー、９０は接続線（電気回路ユニットの接続線）、９７はねじ（コイル接続部）、１００は電気部品、１００ａはスイッチング素子、１００ｂは放熱部材を示す。
【図１】
2010009914.tif 000003
【図２】
2010009914.tif 000004
【図３】
2010009914.tif 000005
【図４】
2010009914.tif 000006
【図５】
2010009914.tif 000007
【図６】
2010009914.tif 000008